(57)【要約】【課題】複数の均等蓄放電回路の各々が有するキャパシタ群を直列接続した際に、キャパシタ群間の電圧の偏差を急速に抑制する均等蓄放電回路を実現する。【解決手段】均等蓄放電回路１ａは、直列接続された電気二重層キャパシタＣ１１ａ及びＣ１２ａと、巻線Ｌ１１ａ及びＬ１２ａと第１のスイッチＳＷ１１ａ及びＳＷ１２ａとを有する第１のエネルギ移送回路と、直列接続された電気二重層キャパシタＣ１１ａ及びＣ１２ａ群の両端部に並列接続された出力端子Ｔ１１ａ及びＴ１２ａと、を備える。均等蓄放電回路１ａは、巻線Ｌ１１ａ及びＬ１２ａに磁気結合された巻線Ｌｃ１ａと、巻線Ｌｃ１ａと直列接続されスイッチＳＷ１１ａ及びＳＷ１２ａと同期してスイッチング制御されるスイッチＳＷ１ａとを有する第２のエネルギ移送回路と、これに並列接続された増設端子Ｔｃ１１ａ及びＴｃ１２ａと、を備える。【選択図】図１
2008125273.tif 000002
【特許請求の範囲】
【請求項１】
直列接続されたＮ個（Ｎは２以上の整数）の蓄電手段と、
互いに磁気結合されたＮ個の第１の巻線と各々が同期してスイッチング制御されることにより前記Ｎ個の第１の巻線を前記Ｎ個の蓄電手段に個別かつ同時に並列接続する複数の第１のスイッチとを有する第１のエネルギ移送回路と、
直列接続された蓄電手段群の両端部に並列接続された出力端子と、
を備え、
前記Ｎ個の第１の巻線と前記Ｎ個の蓄電手段とが個別かつ同時に並列接続する際に前記蓄電手段間で蓄電エネルギが移送されることにより前記蓄電手段間の蓄電電圧の偏差を抑制する均等蓄放電回路であって、
前記第１の巻線に磁気結合された第２の巻線と第２の巻線と直列接続され第１のスイッチと同期してスイッチング制御される第２のスイッチとを有する第２のエネルギ移送回路と、
前記第２のエネルギ移送回路の両端部に並列接続された増設端子と、
を備えることを特徴とする均等蓄放電回路。
【請求項２】
請求項１に記載の均等蓄放電回路をＭ個（Ｍは２以上の整数）有し、前記Ｍ個の均等蓄放電回路の各々が有するＭ個の蓄電手段群を直列接続した均等蓄放電システムであって、
Ｌ−１番目（Ｌは２以上Ｍ以下の整数）の均等蓄放電回路の増設端子と、Ｌ番目の均等蓄放電回路の出力端子と、が並列接続されていることを特徴とする均等蓄放電システム。
【請求項３】
請求項１に記載の均等蓄放電回路をＭ個（Ｍは２以上の整数）有し、前記Ｍ個の均等蓄放電回路の各々が有するＭ個の蓄電手段群を直列接続した均等蓄放電システムであって、
全ての均等蓄放電回路の増設端子が並列接続されていることを特徴とする均等蓄放電システム。
【発明の詳細な説明】
【技術分野】
【０００１】
本発明は、複数の蓄電手段の間で電荷エネルギを移送することにより蓄電手段間の蓄電電圧の偏差を抑制する均等蓄放電回路及び均等蓄放電システムに関する。
【背景技術】
【０００２】
電気自動車，無停電電源，発電施設の貯蔵装置等における蓄電手段として、電気二重層キャパシタが有望視されている（特許文献１〜３）。一方、大容量の電気二重層キャパシタは、高電圧に蓄電するのが困難である。このため、大容量の電気二重層キャパシタを高電圧で用いるには、複数の電気二重層キャパシタを直列接続する必要がある。
【０００３】
直列接続された電気二重層キャパシタに対して蓄電すると、各々の電気二重層キャパシタは、同じ電荷で蓄電される。一方、各々の電気二重層キャパシタの容量には偏差がある。このため、直列接続された電気二重層キャパシタ間の蓄電電圧には偏差が生じる。
【０００４】
このような、電気二重層キャパシタ間の蓄電電圧の偏差は、相対的に容量の小さな電気二重層キャパシタを耐圧以上で蓄電してしまうこともあり、電気二重層キャパシタの劣化や故障の原因になる。このため、前述した特許文献１〜３では、キャパシタ間の蓄電電圧の偏差が抑制されるようキャパシタ間で電荷エネルギを移送する構成が提案されている。
【０００５】
【特許文献１】特開２０００−３０８２７１号公報
【特許文献２】特開２００１−１７７９８７号公報
【特許文献３】特開２００４−１２９４５５号公報
【発明の開示】
【発明が解決しようとする課題】
【０００６】
一般に、均等蓄放電回路では、複数のキャパシタが直列接続された電気二重層キャパシタ群に並列接続された出力端子から負荷に対して電圧を供給している。また、その負荷に、より高い電圧を印加するために、均等蓄放電回路を増設するということも考えられる。例えば、複数の均等蓄放電回路の各々が有する電気二重層キャパシタ群を直列接続し、そのキャパシタ群の両端の電圧を負荷に供給する、といった構成も考えられる。
【０００７】
しかしながら、特許文献１及び２に記載された構成では、上述のように電気二重層キャパシタ群を直列接続してしまうと、各々の電気二重層キャパシタ群の容量に偏差があるため、電気二重層キャパシタ群の間で蓄電電圧に偏差が生じてしまう。また、特許文献３（の例えば図８）に記載された構成では、エネルギ移送能力が充分ではなくキャパシタ群間の電圧の偏差の抑制に時間がかかってしまう。
【０００８】
本発明の目的は、複数の均等蓄放電回路の各々が有するキャパシタ群を直列接続した際に、キャパシタ群間の電圧の偏差を急速に抑制する均等蓄放電回路を実現することにある。
【課題を解決するための手段】
【０００９】
本発明は、直列接続されたＮ個（Ｎは２以上の整数）の蓄電手段と、互いに磁気結合されたＮ個の第１の巻線と各々が同期してスイッチング制御されることにより前記Ｎ個の第１の巻線を前記Ｎ個の蓄電手段に個別かつ同時に並列接続する複数の第１のスイッチとを有する第１のエネルギ移送回路と、直列接続された蓄電手段群の両端部に並列接続された出力端子と、を備え、前記Ｎ個の第１の巻線と前記Ｎ個の蓄電手段とが個別かつ同時に並列接続する際に前記蓄電手段間で蓄電エネルギが移送されることにより前記蓄電手段間の蓄電電圧の偏差を抑制する均等蓄放電回路であって、前記第１の巻線に磁気結合された第２の巻線と第２の巻線と直列接続され第１のスイッチと同期してスイッチング制御される第２のスイッチとを有する第２のエネルギ移送回路と、前記第２のエネルギ移送回路の両端部に並列接続された増設端子と、を備えることを特徴とする。
【００１０】
また、本発明は、均等蓄放電回路をＭ個（Ｍは２以上の整数）有し、前記Ｍ個の均等蓄放電回路の各々が有するＭ個の蓄電手段群を直列接続した均等蓄放電システムであって、Ｌ−１番目（Ｌは２以上Ｍ以下の整数）の均等蓄放電回路の増設端子と、Ｌ番目の均等蓄放電回路の出力端子と、が並列接続されていることが望ましい。
【００１１】
また、本発明は、均等蓄放電回路をＭ個（Ｍは２以上の整数）有し、前記Ｍ個の均等蓄放電回路の各々が有するＭ個の蓄電手段群を直列接続した均等蓄放電システムであって、全ての均等蓄放電回路の増設端子が並列接続されていることが望ましい。
【発明の効果】
【００１２】
本発明によれば、複数の均等蓄放電回路の各々が有するキャパシタ群を直列接続した際に、キャパシタ群間の電圧の偏差を急速に抑制する均等蓄放電回路を実現することができる。
【発明を実施するための最良の形態】
【００１３】
以下、本発明を実施するための第１〜第３の形態について図面を用いて説明する。なお、本実施形態で説明する均等蓄放電回路は、蓄電手段として電気二重層キャパシタを用いているが、他の蓄電手段、例えば鉛蓄電池、リチウム二次電池、リチウムポリマ二次電池等であっても良いし、それらが混在する構成であっても良い。
【００１４】
「第１の実施形態」
まず、図１を用いて、第１の実施形態に係る均等蓄放電回路１ａ及び２ａの構成及び動作を説明する。図１に示す均等蓄放電回路１ａは、直列接続された電気二重層キャパシタＣ１１ａ及びＣ１２ａを有している。この電気二重層キャパシタの数は、２つ以上の整数であれば何個でも良い。
【００１５】
この電気二重層キャパシタＣ１１ａ及びＣ１２ａ群には出力端子Ｔ１１ａ及びＴ１２ａが並列接続されている。電気二重層キャパシタＣ１１ａ及びＣ１２ａ群は、後述する電気二重層キャパシタＣ２１ａ及びＣ２２ａ群と直列に接続される。
【００１６】
後述するように、本実施形態に係る均等蓄放電回路では、この電気二重層キャパシタＣ１１ａ及びＣ１２ａ群と、電気二重層キャパシタＣ２１ａ及びＣ２２ａ群と、の間でエネルギ移送を行うことにより、各々の電気二重層キャパシタＣ１１ａ〜Ｃ２２ａ間の電圧の平均化処理を行う。
【００１７】
図１に示す均等蓄放電回路１ａは、略同じ巻数の巻線Ｌ１１ａ及びＬ１２ａとスイッチＳＷ１１ａ及びＳＷ１２ａとを有するエネルギ移送回路（第１のエネルギ移送回路）を有している。巻線Ｌ１１ａ及びＬ１２ａは互いに磁気的に結合されている。また、各々の巻線Ｌ１１ａ及びＬ１２ａは、後述するように、スイッチＳＷ１１ａ及びＳＷ１２ａがスイッチング制御されることにより個別かつ同時に電気二重層キャパシタＣ１１ａ，Ｃ１２ａに並列接続される。
【００１８】
また、均等蓄放電回路１ａは、巻線Ｌｃ１ａとスイッチＳＷ１ａとを直列接続したエネルギ移送回路（第２のエネルギ移送回路）を有している。この巻線Ｌｃ１ａは、前述した巻線Ｌ１１ａ及びＬ１２ａと磁気的に結合している。
【００１９】
巻線Ｌｃ１ａは、巻線Ｌ１１ａ（又はＬ１２ａ）に接続される電気二重層キャパシタの数（又は容量の逆数）と、巻線Ｌｃ１ａに接続される電気二重層キャパシタの数（又は容量の逆数）と、の比に応じた巻数で巻かれている。なお、この比については、後述する巻線Ｌｃ２ａと共に説明する。
【００２０】
また、後述するように、スイッチＳＷ１ａは、スイッチＳＷ１１ａ及びＳＷ１２ａと同期してスイッチング制御される。さらに、前述した第２のエネルギ移送回路の両端部には増設端子Ｔｃ１１ａ及びＴｃ１２ａが接続されている。
【００２１】
また、図１に示す均等蓄放電回路２ａは、前述した均等蓄放電回路１ａと同様な構成をしている。すなわち、図１に示す均等蓄放電回路２ａは、直列接続された電気二重層キャパシタＣ２１ａ及びＣ２２ａを有している。直列接続された電気二重層キャパシタＣ２１ａ及びＣ２２ａ群の両端には出力端子Ｔ２１ａ及びＴ２２ａが接続されている。
【００２２】
この電気二重層キャパシタＣ２１ａ及びＣ２２ａ群は、前述した電気二重層キャパシタＣ１１ａ及びＣ１２ａ群と直列に接続される。すなわち出力端子Ｔ２１ａと出力端子Ｔ１２ａとが接続される。このように電気二重層キャパシタＣ１１ａ〜Ｃ２２ａ群は、出力端子Ｔ１１ａ及びＴ２２ａを介し負荷に対して電圧を供給する。
【００２３】
また、均等蓄放電回路２ａは、略同じ巻数の巻線Ｌ２１ａ及びＬ２２ａとスイッチＳＷ２１ａ及びＳＷ２２ａとを有するエネルギ移送回路（第１のエネルギ移送回路）を有している。巻線Ｌ２１ａ及びＬ２２ａは互いに磁気的に結合されている。また、各々の巻線Ｌ２１ａ及びＬ２２ａは、後述するように、スイッチＳＷ２１ａ及びＳＷ２２ａがスイッチング制御されることにより個別かつ同時に電気二重層キャパシタＣ２１ａ，Ｃ２２ａに並列接続される。また、第２のエネルギ移送回路の両端部には増設端子Ｔｃ２１ａ及びＴｃ２２ａが接続されている。
【００２４】
また、増設端子Ｔｃ２１ａ及びＴｃ２２ａは、均等蓄放電回路１ａの出力端子Ｔ１１ａ及びＴ１２ａに並列に接続されている（すなわち、増設端子Ｔｃ２１ａと出力端子Ｔ１１ａが接続され、増設端子Ｔｃ２２ａと出力端子Ｔ１２ａが接続されている）。
【００２５】
巻線Ｌｃ２ａは、巻線Ｌ２１ａ（又はＬ２２ａ）に接続される電気二重層キャパシタの数（又は容量の逆数）と、巻線Ｌｃ２ａに接続される電気二重層キャパシタの数（又は容量の逆数）と、の比に応じた巻数で巻かれている。
【００２６】
例えば、本実施形態では、巻線Ｌ２１ａに接続される電気二重層キャパシタの数は１つ（Ｃ２１ａ）であり、巻線Ｌｃ２ａに接続される電気二重層キャパシタの数は２つ（Ｃ１１ａ及びＣ１２ａ）である。このため、（電気二重層キャパシタＣ１１ａ〜Ｃ２２ａが略同じ容量であるとすると、）巻線Ｌｃ２ａは、巻線Ｌ２１ａに対して２倍の巻数で巻かれている。また、前述した巻線Ｌｃ１ａも同様に、巻線Ｌ１１ａに対して２倍の巻数で巻かれている。
【００２７】
後述するように、本実施形態に係る均等蓄放電回路１ａ及び２ａは、この増設端子Ｔｃ２１ａ及びＴｃ２２ａと、出力端子Ｔ１１ａ及びＴ１２ａと、を介したエネルギ移送により電気二重層キャパシタＣ１１ａ〜Ｃ２２ａの間の電圧の偏差を抑制する。
【００２８】
次に、図１に示す均等蓄放電回路１ａ及び２ａの動作について説明する。直列接続された電気二重層キャパシタＣ１１ａ〜Ｃ２２ａの両端に直流電圧Ｖｃｃが印加されると、各々のキャパシタはその容量に応じた電圧で蓄電される。前述したように、電気二重層キャパシタＣ１１ａ〜Ｃ２２ａは、その容量に偏差を持っており、各々に蓄電される電圧にも偏差が生じる。
【００２９】
均等蓄放電回路１ａ及び２ａは、以下のように、これら蓄電電圧の偏差を抑制するよう動作する。まず、均等蓄放電回路１ａの動作について説明する。前述したように、スイッチＳＷ１１ａ及びスイッチＳＷ１２ａが同期してスイッチング制御される。
【００３０】
ここで、スイッチＳＷ１１ａ及びＳＷ１２ａが同時にオンすると、巻線Ｌ１１ａ及びＬ１２ａにその巻き数の比に応じた電圧が誘起する。
【００３１】
前述したように、巻線Ｌ１１ａ及びＬ１２ａは同じ数で巻かれているため、（磁気的漏洩が無いとすると）巻線Ｌ１１ａ及びＬ１２ａの各々には、同じ電圧（電気二重層キャパシタＣ１１ａ及びＣ１２ａの各々の両端電圧が平均化された電圧）が誘起する。このとき、巻線Ｌ１１ａ及びＬ１２ａに誘起した電圧と、電気二重層キャパシタＣ１１ａ及びＣ１２ａの両端電圧と、の間に電位差があると電荷エネルギの移送が行われる。
【００３２】
例えば、電圧の高い方の電気二重層キャパシタ（例えばＣ１１ａ）が放電し、これにより放電された電荷エネルギを、電圧の低い方の電気二重層キャパシタ（Ｃ１２ａ）が蓄電する。このような電荷エネルギの移送により、電気二重層キャパシタＣ１１ａ及びＣ１２ａ間の電圧の平均化処理が行われる。
【００３３】
また、均等蓄放電回路２ａが同様な動作をすることにより電気二重層キャパシタＣ２１ａ及びＣ２２ａ間の電圧の平均化処理が行われる。すなわち、均等蓄放電回路２ａのスイッチＳＷ２１ａ及びＳＷ２２ａが同期してスイッチング制御されることにより、電気二重層キャパシタＣ２１ａ及びＣ２２ａの間で、巻線Ｌ２１ａ及びＬ２２ａを介した電荷エネルギの移送が行われ、電圧の平均化処理がなされる。
【００３４】
次に、電気二重層キャパシタＣ１１ａ及びＣ１２ａ群と、電気二重層キャパシタＣ２１ａ及びＣ２２ａ群と、の間の電圧の平均化処理について説明する。前述したように、巻線Ｌｃ２ａと、巻線Ｌ２１ａ及びＬ２２ａと、は磁気的に結合している。また、スイッチＳＷ２ａと、スイッチＳＷ２１ａ及びＳＷ２２ａと、は同期してスイッチング制御されている。このため、巻線Ｌｃ２ａと巻線Ｌ２１ａ及びＬ２２ａにその巻き数の比に応じた電圧が誘起する。
【００３５】
巻線Ｌｃ２ａは、巻線Ｌ２１ａ（又はＬ２２ａ）に比べて２倍の巻数で巻かれているため、（磁気的漏洩が無いとすると、）巻線Ｌｃ２ａの両端と、巻線Ｌ２１ａ及びＬ２２ａの両端と、には同じ電圧が誘起する。このように誘起した電圧によるエネルギ移送を介して、電気二重層キャパシタＣ１１ａ及びＣ１２ａとＣ２１ａ及びＣ２２ａとの間の電圧の偏差が抑制される。
【００３６】
また、本実施形態に示す均等蓄放電回路１ａ及び２ａでは、巻線Ｌｃ２ａが、複数（２個）の電気二重層キャパシタＣ１１ａ及びＣ１２ａに接続され、かつ、接続される電気二重層キャパシタの数に応じた巻数で巻かれているため、従来の手法に比べてエネルギ移送効率が高く急速に電圧の平均化処理を行うことができる。
【００３７】
なお、本実施形態に係る均等蓄放電回路では半サイクル動作で説明したが、図２に示すような全サイクル（プッシュプル）動作の均等蓄放電回路にも適用できる。図２に示す均等蓄放電回路１ａ―２は、前述したエネルギ移送回路（第１のエネルギ移送回路）を電気二重層キャパシタＣ１１ａ−２及びＣ１２ａ−２の各々に２つずつ備え、各々の巻線を共有した構成となっている。
【００３８】
すなわち、電気二重層キャパシタＣ１１ａ−２は、巻線Ｌ１１ａ−２及びスイッチＳＷ１１ａ１−２を有する回路と、巻線Ｌ１２ａ−２及びスイッチＳＷ１１ａ２−２を有する回路と、に接続される。また、電気二重層キャパシタＣ１２ａ−２は、巻線Ｌ１２ａ―２及びスイッチＳＷ１２ａ１−２を有する回路と、巻線Ｌ１１ａ−２及びスイッチＳＷ１２ａ２−２を有する回路と、に接続される。また、各々の回路は、巻線Ｌ１１ａ−２及びＬ１２ａ−２を共有している。
【００３９】
同様に、均等蓄放電回路２ａ−２は、前述した回路を電気二重層キャパシタＣ２１ａ−２及びＣ２２ａ−２の各々に２つずつ備え、各々の巻線を共有した構成となっている。
【００４０】
次に、図２に示す均等蓄放電回路１ａ−２及び２ａ−２の動作について説明する。図２に示す均等蓄放電回路１ａ−２は、スイッチＳＷ１１ａ１−２及びＳＷ１２ａ１−２と、スイッチＳＷ１１ａ２−２及びＳＷ１２ａ２−２と、が交互にスイッチング制御されることにより、電気二重層キャパシタＣ１１ａ−２及びＣ１２ａ−２の間でエネルギ移送が行われ電圧の平均化処理がなされる。
【００４１】
このとき、スイッチＳＷ１１ａ１−２及びＳＷ１２ａ１−２がオンしているとき、スイッチＳＷ１１ａ２−２及びＳＷ１２ａ２−２がオンしているとき、の両方の期間で電気二重層キャパシタＣ１１ａ−２及びＣ１２ａ−２の間でエネルギ移送が行われる。このため、図２に示す均等蓄放電回路１ａ−２及び２ａ−２は、図１に示す均等蓄放電回路１ａ及び２ａに比べて急速に電圧の平均化を行うことができる。
【００４２】
均等蓄放電回路２ａ−２についても同様に、スイッチＳＷ２１ａ１−２及びＳＷ２１ａ２−２と、スイッチＳＷ２２ａ１−２及びＳＷ２２ａ２−２と、が交互にスイッチング制御されることにより、急速に電圧の平均化を行うことができる。
【００４３】
さらに、電気二重層キャパシタを増設する際には、図３に示すように、同様な均等蓄放電回路を２つ用意し、同様な手法で増設することができる。なお、均等蓄放電回路の数は２つ以上であればいくつでもよい。このとき、均等蓄放電回路１ａ−３の増設端子Ｔｃ１１ａ−３及びＴｃ１２ａ−３を出力端子ＴＮ１ａ−３及びＴＮ２ａ−３に接続してもよい。このように本実施形態に係る均等蓄放電回路は、任意のＮ個（Ｎは正の整数）の数だけ増設しても、全ての電気二重層キャパシタＣ１１ａ−３〜ＣＮ２ａ−３の電圧の平均化処理を行うことができる。
【００４４】
また、均等蓄放電回路を増設する際には、図４に示すように、増設端子Ｔｃ１１ａ−４〜ＴｃＮ１ａ−４とＴｃ１２ａ−４〜ＴｃＮ２ａ−４のそれぞれを並列接続し、任意の電気二重層キャパシタ群（例えばＣ２１ａ−４及びＣ２２ａ−４）に並列接続してもよい。これにより、均等蓄放電回路１ａ−４〜Ｎａ−４間における第２のエネルギ移送回路のスイッチのスイッチング制御が非同期でもよく、より増設する際の制約を軽減した構成にすることもできる。また、図５に示すように、外部の電気二重層キャパシタＣ５を並列接続する構成としてもよい。
【００４５】
このように、本実施形態に係る均等蓄放電回路は、複数の均等蓄放電回路の各々が有するキャパシタ群を直列接続した際に、キャパシタ群間の電圧の偏差を急速に抑制する均等蓄放電回路を実現することができる。
【００４６】
「第２の実施形態」
次に、図６を用いて、第２の実施形態に係る均等蓄放電回路１ｂ及び２ｂの構成及び動作を説明する。図６に示す均等蓄放電回路は、第１の実施形態に係る均等蓄放電回路１ａ及び２ａと同様に、各々に接続された電気二重層キャパシタ群間でエネルギ移送を行うことにより電気二重層キャパシタ群間の蓄電電圧の平均化処理を行う。
【００４７】
この図６に示す均等蓄放電回路１ｂ及び２ｂは、各々に接続される電気二重層キャパシタの数が３個以上の奇数のときに、キャパシタ間における蓄電電圧の平均化処理を急速に行うことができる。以下、詳細に説明する。
【００４８】
図６に示す均等蓄放電回路１ｂは、直列接続された電気二重層キャパシタＣ１１ｂ〜Ｃ１３ｂを有している。直列接続される電気二重層キャパシタの数は、３個以上の奇数であれば何個であっても良い。この直列接続された電気二重層キャパシタＣ１１ｂ〜Ｃ１３ｂの両端部は、出力端子Ｔ１１ｂ及びＴ１２ｂに並列に接続されている。
【００４９】
巻線Ｌ１１ｂ〜Ｌ１３ｂは、略同じ巻数で巻かれ直列接続されている。この直列接続された巻線Ｌ１１ｂ〜Ｌ１３ｂ群の両端及び各々の共通接続部にはタップＴ１１，Ｔ１２，Ｔ１３，Ｔ１４が設けられている。
【００５０】
巻線Ｌ１１ｂ〜Ｌ１３ｂは、これらタップＴ１１〜Ｔ１４に接続されるスイッチＳＷ１１ｂ〜ＳＷ１４ｂを介して電気二重層キャパシタＣ１１ｂ〜Ｃ１３ｂに並列接続されることにより、電気二重層キャパシタＣ１１ｂ〜Ｃ１３ｂ間の電荷エネルギの移送に寄与する。なお、巻線Ｌ１１ｂ〜Ｌ１３ｂの数は、前述した電気二重層キャパシタと同じ（すなわち、３以上の奇数）であれば良い。
【００５１】
スイッチＳＷ１１ｂ，ＳＷ１２ｂ，ＳＷ１３ｂ，ＳＷ１４ｂは、共通端子１１Ｃ，１２Ｃ，１３Ｃ，１４Ｃと、この共通端子に対していずれか一方が選択的に接続される第１の切替端子１１１，１２１，１３１，１４１と、第２の切替端子１１２，１２２，１３２，１４２と、を有している。
【００５２】
これらスイッチＳＷ１１ｂ〜ＳＷ１４ｂの切替制御は、後述するように同期して行われる。また、共通端子１１Ｃ，１２Ｃ，１３Ｃ，１４Ｃは、前述の直列接続された電気二重層キャパシタＣ１１ｂ〜Ｃ１３ｂ群の両端部と電気二重層キャパシタＣ１１ｂ〜Ｃ１３ｂ間の共通接続部とに接続されている。
【００５３】
また、第１の切替端子１１１，１２１，１３１，１４１は、蓄放電路を介して、前述したタップＴ１１，Ｔ１２，Ｔ１３，Ｔ１４に接続される（第１の切替端子１１１，１２１，１３１，１４１とタップＴ１１，Ｔ１２，Ｔ１３，Ｔ１４とを接続する蓄放電路を「第１の蓄放電路」と呼ぶ）。
【００５４】
この第１の蓄放電路により、各共通端子１１Ｃ〜１４Ｃ及び各第１の切替端子１１１〜１４１を介して、電気二重層キャパシタＣ１１ｂ〜Ｃ１３ｂが巻線Ｌ１１ｂ〜Ｌ１３ｂに並列接続される。
【００５５】
さらに、第２の切替端子１１２，１２２，１３２，１４２は、蓄放電路を介して、前述したタップＴ１４，Ｔ１３，Ｔ１２，Ｔ１１に接続される（第２の切替端子１１２，１２２，１３２，１４２とタップＴ１４，Ｔ１３，Ｔ１２，Ｔ１１とを接続する蓄放電路を「第２の蓄放電路」と呼ぶ）。
【００５６】
この第２の蓄放電路により、各共通端子１１Ｃ〜１４Ｃ及び各第２の切替端子１１２〜１４２を介して、電気二重層キャパシタＣ１１ｂ〜Ｃ１３ｂが巻線Ｌ１３ｂ〜Ｌ１１ｂに並列接続される。以上の構成により、キャパシタ間における蓄電電圧の平均化処理を急速に行うことができる。
【００５７】
また、均等蓄放電回路１ｂは、巻線Ｌｃ１ｂとスイッチＳＷ１ｃ及びＳＷ２ｃとを接続したエネルギ移送回路（第２のエネルギ移送回路）を有している。この巻線Ｌｃ１ｂは、前述した巻線Ｌ１１ｂ〜Ｌ１３ｂと磁気的に結合している。
【００５８】
巻線Ｌｃ１ｂは、巻線Ｌ１１ｂ（又はＬ１２ｂ，Ｌ１３ｂ）に接続される電気二重層キャパシタの数（又は容量の逆数）と、巻線Ｌｃ１ｂに接続される電気二重層キャパシタの数（又は容量の逆数）と、の比に応じた巻数で巻かれている。なお、この比については、後述する巻線Ｌｃ２ｂと共に説明する。
【００５９】
また、後述するように、スイッチＳＷ１ｃ及びＳＷ２ｃは、スイッチＳＷ１１ｂ〜ＳＷ１４ｂと同期してスイッチング制御される。さらに、前述した第２のエネルギ移送回路の両端部には増設端子Ｔｃ１１ｂ及びＴｃ１２ｂが接続されている。
【００６０】
また、図６に示す均等蓄放電回路２ｂは、前述した均等蓄放電回路１ｂと同様な構成をしている。すなわち、図６に示す均等蓄放電回路２ｂは、直列接続された電気二重層キャパシタＣ２１ｂ〜Ｃ２３ｂを有している。直列接続された電気二重層キャパシタＣ２１ｂ〜Ｃ２３ｂの両端部には出力端子Ｔ２１ｂ及びＴ２２ｂが接続されている。
【００６１】
直列接続された電気二重層キャパシタＣ２１ｂ〜Ｃ２３ｂ群は、前述した電気二重層キャパシタＣ１１ｂ〜Ｃ１３ｂ群と直列に接続される。すなわち出力端子Ｔ２１ｂと出力端子Ｔ１２ｂとが接続されている。このように直列接続された電気二重層キャパシタＣ１１ｂ〜Ｃ２３ｂ群は出力端子Ｔ１１ｂ及びＴ２２ｂを介し負荷に対して電圧を供給する。
【００６２】
また増設端子Ｔｃ２１ｂ及びＴｃ２２ｂは、均等蓄放電回路１ｂの出力端子Ｔ１１ｂ及びＴ１２ｂに並列に接続されている（すなわち、増設端子Ｔｃ２１ｂと出力端子Ｔ１１ｂが接続され、増設端子Ｔｃ２２ｂと出力端子Ｔ１２ｂが接続されている）。
【００６３】
後述するように、本実施形態に係る均等蓄放電回路１ｂ及び２ｂは、この増設端子Ｔｃ２１ｂ及びＴｃ２２ｂと、出力端子Ｔ１１ｂ及びＴ１２ｂと、を介したエネルギ移送により電気二重層キャパシタＣ１１ｂ〜Ｃ２３ｂの間の電圧の偏差を抑制する。
【００６４】
巻線Ｌｃ２ｂは、巻線Ｌ２１ｂ（又はＬ２２ｂ，Ｌ２３ｂ）に接続される電気二重層キャパシタの数（又は容量の逆数）と、巻線Ｌｃ２ｂに接続される電気二重層キャパシタの数（又は容量の逆数）と、の比に応じた巻数で巻かれている。
【００６５】
例えば、本実施形態では、巻線Ｌ２１ｂに接続される電気二重層キャパシタの数は１つ（Ｃ２１ｂ）であり、巻線Ｌｃ２ｂに接続される電気二重層キャパシタの数は３つ（Ｃ１１ｂ〜Ｃ１３ｂ）である。このため、（電気二重層キャパシタＣ１１ｂ〜Ｃ２３ｂが略同じ容量であるとすると、）巻線Ｌｃ２ｂは、巻線Ｌ２１ｂに対して、３倍の巻数で巻かれている。また、前述した巻線Ｌｃ１ｂも同様に、巻線Ｌ１１ｂに対して３倍の巻数で巻かれている。
【００６６】
次に、図６に示す均等蓄放電回路１ｂ及び２ｂの動作について説明する。直列接続された電気二重層キャパシタＣ１１ｂ〜Ｃ２３ｂの両端に直流電圧Ｖｃｃが印加されると、各々のキャパシタはその容量に応じた電圧で蓄電される。前述したように、電気二重層キャパシタＣ１１ｂ〜Ｃ２３ｂは、その容量に偏差を持っており、各々に蓄電される電圧にも偏差が生じる。本実施形態に係る均等蓄放電回路１ｂは、以下のように、これら蓄電電圧の偏差を抑制するよう動作する。
【００６７】
まず、スイッチＳＷ１１ｂ〜ＳＷ１４ｂの各々が、第１の切替端子１１１〜１４１に切り替わると、電気二重層キャパシタＣ１１ｂ〜Ｃ１３ｂは、各共通端子１１Ｃ〜１４Ｃ及び各第１の切替端子１１１〜１４１を介して、巻線Ｌ１１ｂ〜Ｌ１３ｂに並列接続される（また、各々のタップＴ１１〜Ｔ１４に印加される電圧は、Ｔ１１、Ｔ１２、Ｔ１３、Ｔ１４の順に降下する）。このとき、巻線Ｌ１１ｂ〜Ｌ１３ｂにその巻き数の比に応じた電圧が誘起する。
【００６８】
前述したように、巻線Ｌ１１ｂ〜Ｌ１３ｂは同じ数で巻かれているため、（磁気的漏洩が無いとすると）巻線Ｌ１１ｂ〜Ｌ１３ｂの各々には、同じ電圧（電気二重層キャパシタＣ１１ｂ〜Ｃ１３ｂの各々の両端電圧が平均化された電圧）が誘起する。このとき、巻線Ｌ１１ｂ〜Ｌ１３ｂに誘起した電圧と、電気二重層キャパシタＣ１１ｂ〜Ｃ１３ｂの両端電圧と、の間に電位差があると電荷エネルギの移送が行われる。
【００６９】
例えば、電圧の高い方の電気二重層キャパシタ（例えばＣ１１ｂ）が放電し、これにより放電された電荷エネルギを、電圧の低い方の電気二重層キャパシタ（Ｃ１２ｂ又はＣ１３ｂ）が蓄電する。このような電荷エネルギの移送により、電気二重層キャパシタＣ１１ｂ〜Ｃ１３ｂ間の電圧の平均化処理が行われる。
【００７０】
次に、スイッチＳＷ１１ｂ〜ＳＷ１４ｂの各々が、第２の切替端子１１２〜１４２に切り替わると、電気二重層キャパシタＣ１１ｂ〜Ｃ１３ｂは、各共通端子１１Ｃ〜１４Ｃ及び各第２の切替端子１１２〜１４２を介して、巻線Ｌ１３ｂ〜Ｌ１１ｂに並列接続される（また、各々のタップＴ１１〜Ｔ１４に印加される電圧は、Ｔ１４、Ｔ１３、Ｔ１２、Ｔ１１の順に降下する）。
【００７１】
そして、前述したのと同様に、巻線Ｌ１１ｂ〜Ｌ１３ｂの各々には、同じ電圧（電気二重層キャパシタＣ１１ｂ〜Ｃ１３ｂの両端電圧が平均化された電圧）が誘起する。そして、前述したのと同様に、電気二重層キャパシタＣ１１ｂ〜Ｃ１３ｂ間で電荷エネルギの移送が行われ、キャパシタ間の蓄電電圧の偏差が抑制される。
【００７２】
また、図６に示す均等蓄放電回路２ｂについても同様な動作により、電気二重層キャパシタＣ２１ｂ〜Ｃ２３ｂの蓄電電圧の平均化処理がなされる。
【００７３】
次に、電気二重層キャパシタＣ１１ｂ〜Ｃ１３ｂ群と、電気二重層キャパシタＣ２１ｂ〜Ｃ２３ｂ群と、の間の電圧の平均化処理について説明する。前述したように、巻線Ｌｃ２ｂと、巻線Ｌ２１ｂ〜Ｌ２３ｂと、は磁気的に結合している。また、スイッチＳＷ３ｃ及びＳＷ４ｃと、スイッチＳＷ２１ｂ〜ＳＷ２４ｂと、は同期してスイッチング制御されている。このため、巻線Ｌｃ２ｂと巻線Ｌ２１ｂ〜Ｌ２３ｂの各々にその巻き数の比に応じた電圧を誘起する。
【００７４】
前述したように、巻線Ｌｃ２ｂは、巻線Ｌ２１ｂ（又はＬ２２ｂ，Ｌ２３ｂ）に比べて３倍の巻数で巻かれているため、（磁気的漏洩が無いとすると、）巻線Ｌｃ２ｂの両端と、巻線Ｌ２１ｂ〜Ｌ２３ｂの両端と、には同じ電圧が誘起する。このように誘起した電圧によるエネルギ移送を介して、電気二重層キャパシタＣ１１ｂ〜Ｃ１３ｂ群とＣ２１ｂ〜Ｃ２３ｂ群との間の電圧の偏差が抑制される。
【００７５】
また、本実施形態に示す均等蓄放電回路１ｂ及び２ｂでは、巻線Ｌｃ２ｂが、複数（３個）の電気二重層キャパシタＣ１１ｂ〜Ｃ１３ｂに接続され、かつ、接続される電気二重層キャパシタの数に応じた巻数で巻かれているため、従来の手法に比べて、よりエネルギ移送効率が高く、より急速に電圧の平均化処理を行うことができる。また、本実施形態に係る均等蓄放電回路は、巻線（Ｌｃ１ｂ，Ｌ１１ｂ〜Ｌ１３ｂ又はＬｃ２ｂ，Ｌ２１ｂ〜Ｌ２３ｂ）を１本の電線で構成しても良く、均等蓄放電回路の製造コストを低減することもできる。
【００７６】
さらに、電気二重層キャパシタを増設する際には、第１の実施形態と同様に均等蓄放電回路を用意し、同様な手法で増設することができる。したがって、本実施形態に係る均等蓄放電回路は、複数の均等蓄放電回路を用いて、各々が有するキャパシタ群を直列接続した際におけるキャパシタ群間のエネルギ移送能力が高くキャパシタ群間の電圧の偏差をより急速に抑制する均等蓄放電回路を実現することができる。
【００７７】
なお、本実施形態に係る均等蓄放電回路は、第１の実施形態と同様に、同様な均等蓄放電回路を２つ用意し、同様な手法で増設することができる。なお、均等蓄放電回路の数は２つ以上であればいくつでもよい。これにより、複数の均等蓄放電回路の各々が有する電気二重層キャパシタ群を均等化させることができる。
【００７８】
「第３の実施形態」
次に、図７を用いて、第３の実施形態に係る均等蓄放電回路１ｃ及び２ｃの構成及び動作を説明する。図７に示す均等蓄放電回路は、第１及び第２の実施形態に係る均等蓄放電回路と同様に、各々に接続された電気二重層キャパシタ群間でエネルギ移送を行うことにより電気二重層キャパシタ群間の蓄電電圧の平均化処理を行う。
【００７９】
この図７に示す均等蓄放電回路１ｃ及び２ｃは、各々に接続される電気二重層キャパシタの数が４個以上の偶数のときに、キャパシタ間における蓄電電圧の平均化処理を急速に行うことができる。以下、詳細に説明する。
【００８０】
図７に示す均等蓄放電回路１ｃは、直列接続された４個の電気二重層キャパシタＣ１１ｃ〜Ｃ１４ｃを有している。なお、直列接続される電気二重層キャパシタの数は、４以上の偶数個であれば何個でも良い。この直列接続された電気二重層キャパシタＣ１１ｃ〜Ｃ１４ｃの両端部は、出力端子Ｔ１１ｃ及びＴ１２ｃに並列に接続されている。
【００８１】
巻線Ｌ１１ｃ〜Ｌ１４ｃは、略同じ巻数で巻かれ直列接続されている。この直列接続された巻線Ｌ１１ｃ〜Ｌ１４ｃ群の両端及び各々の共通接続部にはタップＴ１１，Ｔ１２，Ｔ１３，Ｔ１４，Ｔ１５が設けられている。なお、巻線Ｌ１１ｃ〜Ｌ１４ｃの数は、前述した電気二重層キャパシタと同じ（すなわち、４以上の偶数個）であれば良い。
【００８２】
また、直列接続された電気二重層キャパシタＣ１１ｃ〜Ｃ１４ｃの共通接続部のうちの中点と、直列接続された巻線Ｌ１１ｃ〜Ｌ１４ｃ群の共通接続部のうちの中点（タップＴ１３）と、は後述するスイッチＳＷ１１ｃ〜ＳＷ１４ｃを介さずに接続されている（中点同士を接続する線路を「共通路」と呼ぶ）。
【００８３】
スイッチＳＷ１１ｃ，ＳＷ１２ｃ，ＳＷ１３ｃ，ＳＷ１４ｃは、共通端子１１Ｃ，１２Ｃ，１３Ｃ，１４Ｃと、この共通端子１１Ｃ，１２Ｃ，１３Ｃ，１４Ｃに対していずれか一方が選択的に接続される第１の切替端子１１１，１２１，１３１，１４１と第２の切替端子１１２，１２２，１３２，１４２と、を有し、その切替制御は、図示しない制御回路によって同期して行われる。また、共通端子１１Ｃ，１２Ｃ，１３Ｃ，１４Ｃは、直列接続された電気二重層キャパシタＣ１１ｃ〜Ｃ１４ｃ群の両端部と電気二重層キャパシタＣ１１ｃ〜Ｃ１４ｃ間の共通接続部のうちの（一方から数えて）１番目から２番目及び４番目から５番目とに接続されている。
【００８４】
また、第１の切替端子１１１，１２１，１３１，１４１は、蓄放電路を介して、巻線Ｌ１１ｃ〜Ｌ１４ｃに設けられたタップＴ１１，Ｔ１２及びＴ１４，Ｔ１５に接続される（第１の切替端子１１１〜１４１とタップＴ１１，Ｔ１２及びＴ１４，Ｔ１５とを接続する蓄放電路を「第１の蓄放電路」と呼ぶ）。この第１の蓄放電路により、各共通端子１１Ｃ〜１４Ｃ及び各第１の切替端子１１１〜１４１を介して、電気二重層キャパシタＣ１１ｃ〜Ｃ１４ｃが巻線Ｌ１１ｃ〜Ｌ１４ｃに並列接続される。
【００８５】
さらに、第２の切替端子１１２，１２２，１３２，１４２は、蓄放電路を介して、タップＴ１５，Ｔ１４及びＴ１２，Ｔ１１に接続される（第２の切替端子１１２〜１４２とタップＴ１５，Ｔ１４及びＴ１２，Ｔ１１とを接続する蓄放電路を「第２の蓄放電路」と呼ぶ）。この第２の蓄放電路により、各共通端子１１Ｃ〜１４Ｃ及び各第２の切替端子１１２〜１４２を介して、電気二重層キャパシタＣ１１ｃ〜Ｃ１４ｃが巻線Ｌ１４ｃ〜Ｌ１１ｃに並列接続される。以上の構成により、キャパシタ間における蓄電電圧の平均化処理を急速に行うことができる。
【００８６】
また、均等蓄放電回路１ｃは、巻線Ｌｃ１ｃとスイッチＳＷ１ｃ及びＳＷ２ｃとを接続したエネルギ移送回路（第２のエネルギ移送回路）を有している。この巻線Ｌｃ１ｃは、前述した巻線Ｌ１１ｃ〜Ｌ１４ｃと磁気的に結合している。
【００８７】
さらに、巻線Ｌｃ１ｃは、巻線Ｌ１１ｃ（又はＬ１２ｃ〜Ｌ１４ｃ）に接続される電気二重層キャパシタの数（又は容量の逆数）と、巻線Ｌｃ１ｃに接続される電気二重層キャパシタの数（又は容量の逆数）と、の比に応じた巻数で巻かれている。なお、この比については、後述する巻線Ｌｃ２ｃと共に説明する。
【００８８】
また、図７に示す均等蓄放電回路２ｃは、前述した均等蓄放電回路１ｃと同様な構成をしている。すなわち、図７に示す均等蓄放電回路２ｃは、直列接続された電気二重層キャパシタＣ２１ｂ〜Ｃ２４ｂを有している。直列接続された電気二重層キャパシタＣ２１ｃ〜Ｃ２４ｃの両端部には出力端子Ｔ２１ｃ及びＴ２２ｃが並列接続されている。
【００８９】
直列接続された電気二重層キャパシタＣ２１ｃ〜Ｃ２４ｃ群は、前述した電気二重層キャパシタＣ１１ｃ〜Ｃ１４ｃ群と直列に接続される。すなわち出力端子Ｔ２１ｃと出力端子Ｔ１２ｃとが接続されている。このように直列接続された電気二重層キャパシタＣ１１ｃ〜Ｃ２４ｃ群は出力端子Ｔ１１ｃ及びＴ２２ｃを介し負荷に対して電圧を供給する。
【００９０】
また増設端子Ｔｃ２１ｃ及びＴｃ２２ｃは、均等蓄放電回路１ｃの出力端子Ｔ１１ｃ及びＴ１２ｃに並列に接続されている（すなわち、増設端子Ｔｃ２１ｃと出力端子Ｔ１１ｃが接続され、増設端子Ｔｃ２２ｃと出力端子Ｔ１２ｃが接続されている）。
【００９１】
後述するように、本実施形態に係る均等蓄放電回路１ｃ及び２ｃは、この増設端子Ｔｃ２１ｃ及びＴｃ２２ｃと、出力端子Ｔ１１ｃ及びＴ１２ｃと、を介したエネルギ移送により電気二重層キャパシタＣ１１ｃ〜Ｃ２４ｃの間の電圧の偏差を抑制する。
【００９２】
さらに、巻線Ｌｃ２ｃは、巻線Ｌ２１ｃ（又はＬ２２ｃ〜Ｌ２４ｃ）に接続される電気二重層キャパシタの数（又は容量の逆数）と、巻線Ｌｃ２ｃに接続される電気二重層キャパシタの数（又は容量の逆数）と、の比に応じた巻数で巻かれている。
【００９３】
例えば、本実施形態では、巻線Ｌ２１ｃに接続される電気二重層キャパシタの数は１つ（Ｃ２１ｃ又はＣ２４ｃ）であり、巻線Ｌｃ２ｃに接続される電気二重層キャパシタの数は４つ（Ｃ１１ｃ〜Ｃ１４ｃ）である。このため、（電気二重層キャパシタＣ１１ｃ〜Ｃ２４ｃが略同じ容量であるとすると、）巻線Ｌｃ２ｃは、巻線Ｌ２１ｃに対して、４倍の巻数で巻かれている。また、前述した巻線Ｌｃ１ｃも同様に、巻線Ｌ１１ｃに対して４倍の巻数で巻かれている。
【００９４】
次に、図７に示す均等蓄放電回路１ｃの動作について説明する。前述したように、直列接続された電気二重層キャパシタＣ１１ｃ〜Ｃ１４ｃの両端に直流電圧Ｖｃｃが印加されると、容量の偏差により各々に蓄電される電圧に偏差が生じる。
【００９５】
まず、スイッチＳＷ１１ｃ〜ＳＷ１４ｃの各々が、第１の切替端子１１１〜１４１に切り替わると、電気二重層キャパシタＣ１１ｃ〜Ｃ１４ｃは、各共通端子１１Ｃ〜１４Ｃ及び各第１の切替端子１１１〜１４１を介して、巻線Ｌ１１ｃ〜Ｌ１４ｃに並列接続される。そして、巻線Ｌ１１ｃ〜Ｌ１４ｃの各々には、同じ電圧（電気二重層キャパシタＣ１１ｃ〜Ｃ１４ｃの両端電圧が平均化された電圧）が誘起する。そして、前述したのと同様に、電気二重層キャパシタＣ１１ｃ〜Ｃ１４ｃ間で電荷エネルギの移送が行われ、キャパシタ間の蓄電電圧の偏差が抑制される。
【００９６】
次に、スイッチＳＷ１１ｃ〜ＳＷ１４ｃの各々が、第２の切替端子１１２〜１４２に切り替わると、電気二重層キャパシタＣ１１ｃ〜Ｃ１４ｃは、各共通端子１１Ｃ〜１４Ｃ及び各第２の切替端子１１２〜１４２を介して、巻線Ｌ１４ｃ〜Ｌ１１ｃに並列接続される。そして、前述したのと同様に、巻線Ｌ１１ｃ〜Ｌ１４ｃの各々には、同じ電圧（電気二重層キャパシタＣ１１ｃ〜Ｃ１４ｃの両端電圧が平均化された電圧）が誘起する。そして、前述したのと同様に、電気二重層キャパシタＣ１１ｃ〜Ｃ１４ｃ間で電荷エネルギの移送が行われ、キャパシタ間の蓄電電圧の偏差が抑制される。
【００９７】
次に、電気二重層キャパシタＣ１１ｃ〜Ｃ１４ｃ群と、電気二重層キャパシタＣ２１ｃ〜２４ｃ群と、の間の電圧の平均化処理について説明する。前述したように、巻線Ｌｃ２ｃと、巻線Ｌ２１ｃ〜Ｌ２４ｃと、は磁気的に結合している。また、スイッチＳＷ３ｃ及びＳＷ４ｃと、スイッチＳＷ２１ｃ〜ＳＷ２４ｃと、は同期してスイッチング制御されている。このため、巻線Ｌｃ２ｃと巻線Ｌ２１ｃ〜Ｌ２４ｃにその巻き数の比に応じた電圧が発生する。
【００９８】
前述したように、巻線Ｌｃ２ｃは、巻線Ｌ２１ｃ（又はＬ２２ｃ〜Ｌ２４ｃ）に比べて４倍の巻数で巻かれているため、（磁気的漏洩が無いとすると、）巻線Ｌｃ２ｃの両端と、巻線Ｌ２１ｃ〜Ｌ２４ｃの両端と、には同じ電圧が発生する。このように発生した電圧によるエネルギ移送を介して、電気二重層キャパシタＣ１１ｃ〜Ｃ１４ｃ群とＣ２１ｃ〜２４ｃ群との間の電圧の偏差が抑制される。
【００９９】
また、本実施形態に示す均等蓄放電回路１ｃ及び２ｃでは、巻線Ｌｃ２ｃが、複数（４個）の電気二重層キャパシタＣ１１ｃ〜Ｃ１４ｃに接続され、かつ、接続される電気二重層キャパシタの数に応じた巻数で巻かれているため、従来の手法に比べて、よりエネルギ移送効率が高く、より急速に電圧の平均化処理を行うことができる。
【０１００】
さらに、電気二重層キャパシタを増設する際には、第１及び第２の実施形態と同様に均等蓄放電回路を用意し、同様な手法で増設することができる。したがって、本実施形態に係る均等蓄放電回路は、複数の均等蓄放電回路を用いて、各々が有するキャパシタ群を直列接続した際におけるキャパシタ群間のエネルギ移送能力が高くキャパシタ群間の電圧の偏差をより急速に抑制する均等蓄放電回路を実現することができる。また、本実施形態に係る均等蓄放電回路についても同様に、巻線（Ｌｃ１ｃ，Ｌ１１ｃ〜Ｌ１４ｃ又はＬｃ２ｃ，Ｌ２１ｃ〜Ｌ２４ｃ）を１本の電線で構成することもでき、均等蓄放電回路の製造コストを低減することもできる。
【０１０１】
なお、本実施形態に係る均等蓄放電回路は、第１の実施形態と同様に、同様な均等蓄放電回路を２つ用意し、同様な手法で増設することができる。なお、均等蓄放電回路の数は２つ以上であればいくつでもよい。これにより、複数の均等蓄放電回路の各々が有する電気二重層キャパシタ群を均等化させることができる。
【図面の簡単な説明】
【０１０２】
【図１】第１の実施形態に係る均等蓄放電回路を表す図である。
【図２】第１の実施形態に係る均等蓄放電回路を表す図である。
【図３】第１の実施形態に係る均等蓄放電回路を表す図である。
【図４】第１の実施形態に係る均等蓄放電回路を表す図である。
【図５】第１の実施形態に係る均等蓄放電回路を表す図である。
【図６】第２の実施形態に係る均等蓄放電回路を表す図である。
【図７】第３の実施形態に係る均等蓄放電回路を表す図である。
【符号の説明】
【０１０３】
１ａ，２ａ  均等蓄放電回路、Ｃ１１ａ，Ｃ１２ａ，Ｃ２１ａ，Ｃ２２ａ  電気二重層キャパシタ、Ｌ１１ａ，Ｌ１２ａ，Ｌ２１ａ，Ｌ２２ａ，Ｌｃ１ａ，Ｌｃ２ａ  巻線、ＳＷ１１ａ，ＳＷ１２ａ，ＳＷ２１ａ，ＳＷ２２ａ，ＳＷ１ａ，ＳＷ２ａ  スイッチ、Ｔ１１ａ，Ｔ１２ａ，Ｔ２１ａ，Ｔ２２ａ  出力端子、Ｔｃ１１ａ，Ｔｃ１２ａ，Ｔｃ２１ａ，Ｔｃ２２ａ  増設端子。
【図１】
2008125273.tif 000003
【図２】
2008125273.tif 000004
【図３】
2008125273.tif 000005
【図４】
2008125273.tif 000006
【図５】
2008125273.tif 000007
【図６】
2008125273.tif 000008
【図７】
2008125273.tif 000009
【手続補正書】
【提出日】平成19年12月19日(2007.12.19)
【手続補正１】
【補正対象書類名】明細書
【補正対象項目名】００８３
【補正方法】変更
【補正の内容】
【００８３】
スイッチＳＷ１１ｃ，ＳＷ１２ｃ，ＳＷ１３ｃ，ＳＷ１４ｃは、共通端子１１Ｃ，１２Ｃ，１３Ｃ，１４Ｃと、この共通端子１１Ｃ，１２Ｃ，１３Ｃ，１４Ｃに対していずれか一方が選択的に接続される第１の切替端子１１１，１２１，１３１，１４１と第２の切替端子１１２，１２２，１３２，１４２と、を有し、その切替制御は、図示しない制御回路によって同期して行われる。また、共通端子１１Ｃ，１２Ｃ，１３Ｃ，１４Ｃは、直列接続された電気二重層キャパシタＣ１１ｃ〜Ｃ１４ｃ群の両端部と電気二重層キャパシタＣ１１ｃ〜Ｃ１４ｃ間の共通接続部のうちの（一方から数えて）１番目及び３番目とに接続されている。
【手続補正２】
【補正対象書類名】明細書
【補正対象項目名】００８８
【補正方法】変更
【補正の内容】
【００８８】
また、図７に示す均等蓄放電回路２ｃは、前述した均等蓄放電回路１ｃと同様な構成をしている。すなわち、図７に示す均等蓄放電回路２ｃは、直列接続された電気二重層キャパシタＣ２１ｃ〜Ｃ２４ｃを有している。直列接続された電気二重層キャパシタＣ２１ｃ〜Ｃ２４ｃの両端部には出力端子Ｔ２１ｃ及びＴ２２ｃが並列接続されている。
【手続補正３】
【補正対象書類名】明細書
【補正対象項目名】００９７
【補正方法】変更
【補正の内容】
【００９７】
次に、電気二重層キャパシタＣ１１ｃ〜Ｃ１４ｃ群と、電気二重層キャパシタＣ２１ｃ〜Ｃ２４ｃ群と、の間の電圧の平均化処理について説明する。前述したように、巻線Ｌｃ２ｃと、巻線Ｌ２１ｃ〜Ｌ２４ｃと、は磁気的に結合している。また、スイッチＳＷ３ｃ及びＳＷ４ｃと、スイッチＳＷ２１ｃ〜ＳＷ２４ｃと、は同期してスイッチング制御されている。このため、巻線Ｌｃ２ｃと巻線Ｌ２１ｃ〜Ｌ２４ｃにその巻き数の比に応じた電圧が発生する。
【手続補正４】
【補正対象書類名】図面
【補正対象項目名】図１
【補正方法】変更
【補正の内容】
【図１】
2008125273.tif 000010